(57)【要約】      （修正有）【課題】光軸にコリメートレンズの中央部がくるようにすることができる光ピックアップ装置、光ピックアップ装置のレンズ位置調整方法、及び光ピックアップ装置のレンズ位置調整装置を提供する。【解決手段】コリメートレンズ４を含む光学部品が搭載されている。半導体レーザのレーザ光におけるコリメートレンズ４を通過する光軸の延長線と交わる位置に立ち上がるハウジング１１の側壁面における光軸の延長線上に、光軸を中心とする壁貫通穴１２ａが設けられている。【選択図】図１
2009134805.tif 000002
【特許請求の範囲】
【請求項１】
半導体レーザからレーザ光を出射し、上記レーザ光を用いて光ディスクに情報を記録、又は光ディスクに記録された情報を再生する光ディスク装置に備えられる光ピックアップ装置であって、
コリメートレンズを含む光学部品が搭載されていると共に、
上記半導体レーザのレーザ光における上記コリメートレンズを通過する光軸の延長線と交わる位置に立ち上がるハウジングの側壁における該光軸の延長線上に、上記光軸を中心とする貫通穴が設けられていることを特徴とする光ピックアップ装置。
【請求項２】
前記コリメートレンズの中央部には、視認用目印が設けられていることを特徴とする請求項１記載の光ピックアップ装置。
【請求項３】
前記視認用目印は、レンズ表面に形成された凹部又は凸部からなっていることを特徴とする請求項２記載の光ピックアップ装置。
【請求項４】
前記コリメートレンズは、前記半導体レーザのレーザ光における該コリメートレンズを通過する光軸と平行な方向に該コリメートレンズを移動させる駆動ユニットに搭載されていることを特徴とする請求項１，２又は３記載の光ピックアップ装置。
【請求項５】
半導体レーザからレーザ光を出射し、上記レーザ光を用いて光ディスクに情報を記録、又は光ディスクに記録された情報を再生する光ディスク装置に備えられる光ピックアップ装置のハウジングにコリメートレンズを配置する光ピックアップ装置のレンズ位置調整方法であって、
上記ハウジングにコリメートレンズを含む光学部品を搭載する工程と、
上記半導体レーザのレーザ光における上記コリメートレンズを通過する光軸の延長線と交わる位置に立ち上がる上記ハウジングの側壁における該光軸の延長線上に、上記光軸を中心とする貫通穴を設ける工程と、
上記ハウジングの側壁に設けられた貫通穴の外側から上記コリメートレンズを視認して、上記コリメートレンズの中央部が貫通穴の中心に一致するように上記コリメートレンズの位置を調整する工程とを含むことを特徴とする光ピックアップ装置のレンズ位置調整方法。
【請求項６】
上記コリメートレンズの中央部に視認用目印を設ける工程と、
上記ハウジングの側壁に設けられた貫通穴の外側から上記コリメートレンズに設けられた視認用目印を視認して、上記コリメートレンズの中央部の視認用目印が上記貫通穴の中心に一致するように上記コリメートレンズの位置を調整する工程とを含むことを特徴とする請求項５記載の光ピックアップ装置のレンズ位置調整方法。
【請求項７】
前記コリメートレンズの位置を調整する工程において、治具を用いると共に、
上記治具を用いて上記コリメートレンズの位置を調整した後、前記ハウジングにおけるコリメートレンズ取付位置に該コリメートレンズを接着する工程を含むことを特徴とする請求項５又は６記載の光ピックアップ装置のレンズ位置調整方法。
【請求項８】
前記半導体レーザのレーザ光における前記コリメートレンズを通過する光軸と平行な方向に、該コリメートレンズを移動させる駆動ユニットに該コリメートレンズを搭載する工程と、
上記コリメートレンズの位置を調整するときに、治具を用いて上記駆動ユニットを動かすことにより上記コリメートレンズの位置を調整した後、前記ハウジングにおける駆動ユニット取付位置に、該駆動ユニットを接着する工程とを含むことを特徴とする請求項５又は６記載の光ピックアップ装置のレンズ位置調整方法。
【請求項９】
前記治具を複数使用することを特徴とする請求項７又は８記載の光ピックアップ装置のレンズ位置調整方法。
【請求項１０】
半導体レーザからレーザ光を出射し、上記レーザ光を用いて光ディスクに情報を記録、又は光ディスクに記録された情報を再生する光ディスク装置に備えられた光ピックアップ装置のハウジングにコリメートレンズを配置する光ピックアップ装置のレンズ位置調整装置であって、
上記光ピックアップ装置のハウジングには、コリメートレンズを含む光学部品が搭載され、
上記半導体レーザのレーザ光における上記コリメートレンズを通過する光軸の延長線と交わる位置に立ち上がる上記ハウジングの側壁における該光軸の延長線上に、上記光軸を中心とする貫通穴が設けられていると共に、
上記光ピックアップ装置の外部には、コリメートレンズの位置を調整するときに上記ハウジングの側壁に設けられた貫通穴を通して該コリメートレンズを撮像する光学カメラが設けられていることを特徴とする光ピックアップ装置のレンズ位置調整装置。
【発明の詳細な説明】
【技術分野】
【０００１】
本発明は、光ディスクを記録、又は再生する光ディスク装置に備えられた光ピックアップ装置、光ピックアップ装置のレンズ位置調整方法、及び光ピックアップ装置のレンズ位置調整装置に関するものであり、詳細には、光ピックアップ装置におけるコリメートレンズのレンズ位置調整に関する。
【背景技術】
【０００２】
光ディスク装置に備えられた光ピックアップ装置は、半導体レーザ等の光源と対物レンズとの光路中にコリメートレンズを有しており、このコリメートレンズは、光源から出射された発散光束を平行光束にして対物レンズに入射させる機能を有している。
【０００３】
上記コリメートレンズ１０１は、図２１（ａ）（ｂ）に示すように、偏平した略円柱状に形成されており、図２２に示すように、例えば、コリメートレンズ１０１を半導体レーザ１０２におけるレーザ光の光軸方向に移動させるコリメートレンズ前後位置調整ユニット１１０に取り付けられている。
【０００４】
上記コリメートレンズ１０１を取り付けたコリメートレンズ前後位置調整ユニット１１０を光ピックアップ装置１００のハウジング１０３に取り付けるときには、図２３（ａ）（ｂ）（ｃ）に示すように、まず、コリメートレンズ１０１をコリメートレンズ前後位置調整ユニット１１０の部品であるレンズホルダ１１１に取り付けて接着剤１１２で固定する。
【０００５】
次いで、コリメートレンズ前後位置調整ユニット１１０を、向きを上下反転した後、ハウジング１０３の所定の箇所に載置し、図２４に示すように、角隅部を接着剤１１３で接着する。尚、コリメートレンズ前後位置調整ユニット１１０のハウジング１０３への取付位置は、接着剤１１３で接着しなくても、ガタが無い状態となっている。すなわち、ハウジング１０３を形成するための金型の仕上がり精度、及びコリメートレンズ前後位置調整ユニット１１０を形成するときの金型の仕上がり精度によって、コリメートレンズ１０１の位置が決まるものとなっている。
【０００６】
一方、図２５に示すように、コリメートレンズ前後位置調整ユニットを用いない他の従来の光ピックアップ装置２００において、コリメートレンズ２０１を光ピックアップ装置２００の本体であるハウジング２０２へ取り付ける場合には、図２６（ａ）（ｂ）に示すように、コリメートレンズ２０１をハウジング２０２のコリメートレンズ取り付け部２１０へ取り付ける。
【０００７】
このコリメートレンズ取り付け部２１０は、Ｖ受けとなっており、コリメートレンズ２０１の位置が確定するようになっている。そして、コリメートレンズ２０１をコリメートレンズ取り付け部２１０に取り付けた後は、そのコリメートレンズ２０１を接着剤２１２で固定する。
【０００８】
上記コリメートレンズ前後位置調整ユニットを用いない光ピックアップ装置２００におけるハウジング２０２でのコリメートレンズ２０１の位置は、ハウジング２０２の金型の仕上がり精度で決まり、微調整はできない。
【特許文献１】特開２００６−２５２６１６号公報（２００６年９月２１日公開）
【特許文献２】特開２００６−２５２６２８号公報（２００６年９月２１日公開）
【発明の開示】
【発明が解決しようとする課題】
【０００９】
ところで、光ピックアップ装置において、光ピックアップ性能を確保するには、光軸にコリメートレンズの中央部がくるようにする必要がある。
【００１０】
しかしながら、上記従来の光ピックアップ装置では、光軸にコリメートレンズの中央部がくるようにすることが困難であるという問題点を有している。
【００１１】
すなわち、図２２に示すように、コリメートレンズ前後位置調整ユニット１１０を有する光ピックアップ装置１００では、コリメートレンズ１０１を接着したコリメートレンズ前後位置調整ユニット１１０をハウジング１０３の取り付け部に取り付ける。この場合、コリメートレンズ前後位置調整ユニット１１０にコリメートレンズ１０１を接着するときの精度のバラツキ、及びコリメートレンズ前後位置調整ユニット１１０の各精度や組み付け精度のバラツキによって、光軸にコリメートレンズ１０１の中央部がくるようにすることが困難である。
【００１２】
また、コリメートレンズ前後位置調整ユニットを必要としない図２５に示す光ピックアップ装置２００において、ハウジング２０２のコリメートレンズ取り付け部２１０に直接コリメートレンズ２０１を取り付ける場合においても、光ピックアップ性能を確保するには、光軸にコリメートレンズ２０１の中央部がくるようにする必要がある。
【００１３】
しかしながら、上述したように、ハウジング２０２のコリメートレンズ取り付け部２１０は位置決めのためのＶ形状になっているので、コリメートレンズ２０１の位置は、ハウジング２０２の金型精度で決まってくる。したがって、光軸にコリメートレンズ２０１の中央部がくるとは限らない。
【００１４】
尚、例えば特許文献１では、規格の異なる種々の光ディスクに対応するために、対物レンズの開口径の異なる遮光板を切り替え挿入したり、凹レンズを追加挿入したりしているが、光軸にコリメートレンズの中央部がくるようにする技術は開示されていない。
【００１５】
また、例えば特許文献２においては、コリメートレンズを光軸と平行な方向に移動させることによって、規格の異なる種々の光ディスクに対応するようにしているが、この特許文献２においても光軸にコリメートレンズの中央部がくるようにする技術は開示されていない。
【００１６】
本発明は、上記従来の問題点に鑑みなされたものであって、その目的は、光軸にコリメートレンズの中央部がくるようにすることができる光ピックアップ装置、光ピックアップ装置のレンズ位置調整方法、及び光ピックアップ装置のレンズ位置調整装置を提供することにある。
【課題を解決するための手段】
【００１７】
本発明の光ピックアップ装置は、上記課題を解決するために、半導体レーザからレーザ光を出射し、上記レーザ光を用いて光ディスクに情報を記録、又は光ディスクに記録された情報を再生する光ディスク装置に備えられる光ピックアップ装置であって、コリメートレンズを含む光学部品が搭載されていると共に、上記半導体レーザのレーザ光における上記コリメートレンズを通過する光軸の延長線と交わる位置に立ち上がるハウジングの側壁における該光軸の延長線上に、上記光軸を中心とする貫通穴が設けられていることを特徴としている。
【００１８】
本発明の光ピックアップ装置のレンズ位置調整方法は、上記課題を解決するために、半導体レーザからレーザ光を出射し、上記レーザ光を用いて光ディスクに情報を記録、又は光ディスクに記録された情報を再生する光ディスク装置に備えられる光ピックアップ装置のハウジングにコリメートレンズを配置する光ピックアップ装置のレンズ位置調整方法であって、上記ハウジングにコリメートレンズを含む光学部品を搭載する工程と、上記半導体レーザのレーザ光における上記コリメートレンズを通過する光軸の延長線と交わる位置に立ち上がる上記ハウジングの側壁における該光軸の延長線上に、上記光軸を中心とする貫通穴を設ける工程と、上記ハウジングの側壁に設けられた貫通穴の外側から上記コリメートレンズを視認して、上記コリメートレンズの中央部が貫通穴の中心に一致するように上記コリメートレンズの位置を調整する工程とを含むことを特徴としている。
【００１９】
上記の発明によれば、半導体レーザのレーザ光におけるコリメートレンズを通過する光軸の延長線と交わる位置に立ち上がるハウジングの側壁における該光軸の延長線上に、上記光軸を中心とする貫通穴が設けられている。
【００２０】
この結果、光ピックアップ装置の外部からこの貫通穴を通してコリメートレンズを視認することができる。このとき、貫通穴はコリメートレンズを通過する光軸の延長線上に上記光軸を中心として設けられているので、コリメートレンズの中央部が貫通穴の中心となるようにコリメートレンズを移動して調整すれば、光軸にコリメートレンズの中央部がくることになる。
【００２１】
したがって、光軸にコリメートレンズの中央部がくるようにすることができる光ピックアップ装置、及び光ピックアップ装置のレンズ位置調整方法を提供することができる。
【００２２】
また、本発明の光ピックアップ装置では、前記コリメートレンズの中央部には、視認用目印が設けられていることが好ましい。
【００２３】
また、本発明の光ピックアップ装置のレンズ位置調整方法では、上記コリメートレンズの中央部に視認用目印を設ける工程と、上記ハウジングの側壁に設けられた貫通穴の外側から上記コリメートレンズに設けられた視認用目印を視認して、上記コリメートレンズの中央部の視認用目印が上記貫通穴の中心に一致するように上記コリメートレンズの位置を調整する工程とを含むことが好ましい。
【００２４】
これにより、コリメートレンズの中央部には、視認用目印が設けられているので、貫通穴を通して、コリメートレンズの中央部が貫通穴の中心となるように調整するときに、コリメートレンズの中央部の視認用目印が貫通穴の中心に一致するようにコリメートレンズの位置を調整する。
【００２５】
したがって、視認用目印により、容易に、光軸にコリメートレンズの中央部がくるようにすることができる。
【００２６】
また、本発明の光ピックアップ装置では、前記視認用目印は、レンズ表面に形成された凹部又は凸部からなっていることが好ましい。
【００２７】
これにより、貫通穴を通してその貫通穴の中心をコリメートレンズの中央部となるように調整するときに、コリメートレンズのレンズ表面に形成された凹部又は凸部により、コリメートレンズの中央部の特定が容易となる。
【００２８】
また、本発明の光ピックアップ装置では、前記コリメートレンズは、前記半導体レーザのレーザ光における該コリメートレンズを通過する光軸と平行な方向に該コリメートレンズを移動させる駆動ユニットに搭載されていることが可能である。
【００２９】
これにより、駆動ユニットにてコリメートレンズを光軸に平行移動できるので、レーザ光の光路におけるコリメートレンズと対物レンズとの間隔を変化させることができる。したがって、色収差の発生を防止して、例えば、ＤＶＤ規格とＢｌｕ−ｒａｙ規格との規格の異なる種々の光ディスクに対応することができる。
【００３０】
また、本発明の光ピックアップ装置では、前記コリメートレンズの位置を調整する工程において、治具を用いると共に、上記治具を用いて上記コリメートレンズの位置を調整した後、前記ハウジングにおけるコリメートレンズ取付位置に該コリメートレンズを接着する工程を含むことが可能である。
【００３１】
これにより、前記コリメートレンズの位置を調整する工程において治具を用いるので、コリメートレンズの位置の調整が容易となる。また、上記治具を用いて上記コリメートレンズの位置を調整した後、ハウジングにおけるコリメートレンズ取付位置に該コリメートレンズを接着するので、光軸にコリメートレンズの中央部がくるようにした状態で、コリメートレンズをハウジングにおけるコリメートレンズ取付位置に固定することができる。
【００３２】
また、本発明の光ピックアップ装置では、前記半導体レーザのレーザ光における前記コリメートレンズを通過する光軸と平行な方向に、該コリメートレンズを移動させる駆動ユニットに該コリメートレンズを搭載する工程と、上記コリメートレンズの位置を調整するときに、治具を用いて上記駆動ユニットを動かすことにより上記コリメートレンズの位置を調整した後、前記ハウジングにおける駆動ユニット取付位置に、該駆動ユニットを接着する工程とを含むことが可能である。
【００３３】
これにより、コリメートレンズを光軸に平行移動させる駆動ユニットを備えているときに、治具を用いて上記駆動ユニットを動かすことにより上記コリメートレンズの位置を調整する。
【００３４】
また、上記コリメートレンズの位置を調整した後、前記ハウジングにおける駆動ユニット取付位置に、該駆動ユニットを接着するので、光軸にコリメートレンズの中央部がくるようにした状態で、駆動ユニットをハウジングにおける駆動ユニット取付位置に固定することができる。
【００３５】
また、本発明の光ピックアップ装置では、前記治具を複数使用することが好ましい。
【００３６】
これにより、コリメートレンズの位置を調整するときに、光軸に垂直な面内において、コリメートレンズを、横方向だけでなく縦方向にも調整することが可能となる。
【００３７】
本発明の光ピックアップ装置のレンズ位置調整装置は、上記課題を解決するために、半導体レーザからレーザ光を出射し、上記レーザ光を用いて光ディスクに情報を記録、又は光ディスクに記録された情報を再生する光ディスク装置に備えられた光ピックアップ装置のハウジングにコリメートレンズを配置する光ピックアップ装置のレンズ位置調整装置であって、上記光ピックアップ装置のハウジングには、コリメートレンズを含む光学部品が搭載され、上記半導体レーザのレーザ光における上記コリメートレンズを通過する光軸の延長線と交わる位置に立ち上がる上記ハウジングの側壁における該光軸の延長線上に、上記光軸を中心とする貫通穴が設けられていると共に、上記光ピックアップ装置の外部には、コリメートレンズの位置を調整するときに上記ハウジングの側壁に設けられた貫通穴を通して該コリメートレンズを撮像する光学カメラが設けられていることを特徴としている。
【００３８】
上記の発明によれば、光ピックアップ装置の外部には、コリメートレンズの位置を調整するときに上記ハウジングの側壁に設けられた貫通穴を通して該コリメートレンズを撮像する光学カメラが設けられている。
【００３９】
この結果、コリメートレンズの位置を調整するときに、光学カメラでハウジングの側壁に設けられた貫通穴を通して該コリメートレンズを撮像することにより、その像を例えばモニタに映し出し、大きくして見ることができるので、コリメートレンズの中央部が貫通穴の中心となるように調整するのが容易となる。
【００４０】
したがって、光軸にコリメートレンズの中央部がくるようにすることができる光ピックアップ装置のレンズ位置調整装置を提供することができる。
【発明の効果】
【００４１】
本発明の光ピックアップ装置は、以上のように、コリメートレンズを含む光学部品が搭載されていると共に、半導体レーザのレーザ光における上記コリメートレンズを通過する光軸の延長線と交わる位置に立ち上がるハウジングの側壁における該光軸の延長線上に、上記光軸を中心とする貫通穴が設けられているものである。
【００４２】
本発明の光ピックアップ装置のレンズ位置調整方法は、以上のように、ハウジングにコリメートレンズを含む光学部品を搭載する工程と、上記半導体レーザのレーザ光における上記コリメートレンズを通過する光軸の延長線と交わる位置に立ち上がる上記ハウジングの側壁における該光軸の延長線上に、上記光軸を中心とする貫通穴を設ける工程と、上記ハウジングの側壁に設けられた貫通穴の外側から上記コリメートレンズを視認して、上記コリメートレンズの中央部が貫通穴の中心に一致するように上記コリメートレンズの位置を調整する工程とを含む方法である。
【００４３】
本発明の光ピックアップ装置のレンズ位置調整装置は、以上のように、光ピックアップ装置のハウジングには、コリメートレンズを含む光学部品が搭載され、上記半導体レーザのレーザ光における上記コリメートレンズを通過する光軸の延長線と交わる位置に立ち上がる上記ハウジングの側壁における該光軸の延長線上に、上記光軸を中心とする貫通穴が設けられていると共に、上記光ピックアップ装置の外部には、コリメートレンズの位置を調整するときに上記ハウジングの側壁に設けられた貫通穴を通して該コリメートレンズを撮像する光学カメラが設けられているものである。
【００４４】
それゆえ、光軸にコリメートレンズの中央部がくるようにすることができる光ピックアップ装置、光ピックアップ装置のレンズ位置調整方法、及び光ピックアップ装置のレンズ位置調整装置を提供するという効果を奏する。
【発明を実施するための最良の形態】
【００４５】
〔実施の形態１〕
本発明の一実施形態について図１ないし図１１に基づいて説明すれば、以下の通りである。
【００４６】
本実施の形態の光ピックアップ装置１０は、図２に示すように、半導体レーザ１からレーザ光を出射し、そのレーザ光を用いて図示しない光ディスクに情報を記録、又は光ディスクに記録された情報を再生する光ディスク装置に備えられている。
【００４７】
上記光ピックアップ装置１０では、上記半導体レーザ１から出射されたレーザ光は、該光ピックアップ装置１０の光ピックアップ装置本体であるハウジング１１に搭載された光学部品であるビームスプリッタ２、プリズム３、コリメートレンズ４及びプリズム５を通してプリズム６に入射する。そして、レーザ光は、このプリズム６にて上向きに光束を曲げられた後、図示しない対物レンズを通して、図示しない光ディスクに設けられた複数の記録層又は再生層のいずれかに照射される。
【００４８】
光ディスクのいずれかの記録層又は再生層からの反射光は、上記図示しない対物レンズを通し、さらに、上記プリズム６、プリズム５、コリメートレンズ４、プリズム３を通してビームスプリッタ２に戻り、ビームスプリッタ２にて分岐されて受光素子７に入射されるようになっている。
【００４９】
本実施の形態の光ディスク装置は、ＤＶＤ規格の波長６６０ｎｍのレーザ光と、Ｂｌｕ−ｒａｙ規格の波長４０５ｎｍのレーザ光との両方が使用できるものとなっている。したがって、ＤＶＤ規格の光ディスクとＢｌｕ−ｒａｙ規格の光ディスクとのいずれがセットされても、それに対応できるように、コリメートレンズ４を光軸と平行な方向に移動させることによって、レーザ光の光路におけるコリメートレンズ４と対物レンズとの間隔を変化させるようになっている。これによって、色収差の発生を防止して、規格の異なる種々の光ディスクに対応できるようになっている。
【００５０】
本実施の形態では、上記コリメートレンズ４は、図２に示すように、例えば、ハウジング１１に取り付けられた駆動ユニットとしてのコリメートレンズ前後位置調整ユニット２０に取り付けられている。
【００５１】
ところで、上記コリメートレンズ４の光ピックアップ性能を確保するには、光軸にコリメートレンズ４の中央部がくるようにする必要がある。
【００５２】
そこで、本実施の形態の光ピックアップ装置１０では、光軸にコリメートレンズ４の中央部がくるようにするために、以下のようにしている。
【００５３】
すなわち、本実施の形態では、コリメートレンズ４に視認用目印を設けていると共に、図１（ａ）〜（ｄ）に示すように、このコリメートレンズ４を通過する、半導体レーザ１のレーザ光の光軸の延長線と交わる位置に立ち上がるハウジング１１の従軸側の側壁としての側壁面１２に、上記光軸を中心とする壁貫通穴１２ａを設けている。そして、ハウジング１１の外部からこの壁貫通穴１２ａを通してコリメートレンズ４に設けられた視認用目印を臨むことができるようになっており、これによって、光軸にコリメートレンズ４の中央部がくるようにレンズ位置を調整することができるようになっている。
【００５４】
本実施の形態の、上記光軸にコリメートレンズ４の中央部がくるようにする構成について、図１（ａ）〜（ｄ）、図３（ａ）（ｂ）、図４（ａ）（ｂ）を用いて詳細に説明する。
【００５５】
本実施の形態のコリメートレンズ４は、例えば、図３（ａ）（ｂ）に示すように、コリメートレンズ４の視認用目印４ａとして凹部を設けており、この凹部は、例えば、直径４０μｍ以下、奥行き約数十μｍとなっている。尚、必ずしも凹部に限らず、凸部を設けてもよい。
【００５６】
また、本実施の形態では、上記コリメートレンズ４に設ける視認用目印４ａは、必ずしもコリメートレンズ４の中央に設けられた凹部又は凹部に限らず、例えば、図４（ａ）（ｂ）に示すように、コリメートレンズ４のレンズ面に形成された複数の同心円パターン又は渦巻き状パターンであってもよい。この複数の同心円パターン又は渦巻き状パターンは、例えば、コリメートレンズ４の型作成時に切削面の加工精度により転写形成することができる。これによっても、同心円パターン又は渦巻き状パターンの中心を特定できるので、コリメートレンズ４の中央部を特定することができる。
【００５７】
尚、この視認用目印４ａは、光学的に影響が無く、判別可能なものとなっている。
【００５８】
次に、上記コリメートレンズ４をコリメートレンズ前後位置調整ユニット２０に取り付け、そのコリメートレンズ前後位置調整ユニット２０をハウジング１１への配設する方法について図１（ａ）〜（ｄ）に基づいて説明する。
【００５９】
本実施の形態では、図１（ａ）に示すように、ハウジング１１の従軸側の側壁面１２には、コリメートレンズ４を通過する、半導体レーザ１のレーザ光の光軸方向に壁貫通穴１２ａを開けていると共に、コリメートレンズ前後位置調整ユニット２０には、位置調整用の例えば１個のユニット穴２１ａを開けている。
【００６０】
そして、コリメートレンズ４を、コリメートレンズ前後位置調整ユニット２０に取り付けるときには、図１（ｃ）（ｄ）に示すように、コリメートレンズ４を、コリメートレンズ前後位置調整ユニット２０の部品であるレンズホルダ２２に取り付け、接着剤２３で接着固定する。
【００６１】
次いで、図１（ａ）に示すように、コリメートレンズ前後位置調整ユニット２０の向きを、上下反転して、ハウジング１１に配設する。本実施の形態では、ハウジング１１には駆動ユニット取付位置としての遊嵌部１３ａ〜１３ｃが設けられており、この遊嵌部１３ａ〜１３ｃには、コリメートレンズ前後位置調整ユニット２０の被遊嵌部２４ａ〜２４ｃが収まるようになっている。尚、ハウジング１１の遊嵌部１３ａ〜１３ｃは、調整ができるように、コリメートレンズ前後位置調整ユニット２０の被遊嵌部２４ａ〜２４ｃよりも大きなサイズになっている。また、ハウジング１１の遊嵌部１３ａ〜１３ｃにおいては、遊嵌部１３ａ・１３ｂにおいて、従軸側の側壁面１２とは反対側の基準線ＬＶは金型で精度出しをしている。さらに、被遊嵌部２４ａ〜２４ｃの深さについても金型で精度出しをしている。したがって、基準線ＬＶ及び被遊嵌部２４ａ〜２４ｃの深さについては、コリメートレンズ前後位置調整ユニット２０のハウジング１１における位置は決定している。
【００６２】
次に、光軸にコリメートレンズ４の中央部がくるようにするためのレンズ調整方法について図５、図６（ａ）（ｂ）及び図６に基づいて説明する。
【００６３】
まず、図５に示すように、ハウジング１１の従軸側の側壁面１２における壁貫通穴１２ａを通して外部から図示しない拡大鏡にて見る。尚、この場合、作業効率向上のため、図６（ａ）（ｂ）に示すように、図示しない光学カメラで撮像された画像をモニタ９で見る方法が効果的である。
【００６４】
図６（ａ）（ｂ）に示すように、モニタ９には、ハウジング１１における従軸側の側壁面１２の壁貫通穴１２ａの外形及びコリメートレンズ４が映っている。尚、同図６（ａ）（ｂ）において、壁貫通穴１２ａの外形である円形内に映っているのはコリメートレンズ４の一部である。
【００６５】
また、モニタ９には、十字のマーキング線Ｌ１・Ｌ２が壁貫通穴１２ａの中心で交差するように引かれている。マーキング線Ｌ１は光軸に直交する面内におけるＹ軸（縦方向）に平行な線であり、Ｘ軸方向（横方向）の調整のための線である。また、マーキング線Ｌ２は光軸に直交する面内におけるＸ軸（横方向）に平行な線であり、Ｙ軸方向（縦方向）の調整のための線である。したがって、十字のマーキング線Ｌ１とマーキング線Ｌ２との交点が壁貫通穴１２ａの中心かつ光軸の位置を示す。
【００６６】
そして、モニタ９においては、コリメートレンズ４に、視認用目印４ａである中央部の凹部若しくは凸部、又は型作成時に切削面の加工精度によりレンズ面に転写された渦巻き状パターン同心円パターン又は渦巻き状パターンが映っているので、コリメートレンズ４の中央部がマーキング線Ｌ１上にくるように、コリメートレンズ前後位置調整ユニット２０を、位置調整用のユニット穴２１ａに図示しない例えば針等の治具を引っ掛けて調整をする。ここでは、コリメートレンズ前後位置調整ユニット２０をＸ軸方向に動かす。したがって、ユニット穴２１ａは、針等の治具が挿入できる小さな穴でよい。
【００６７】
そして、調整終了後、図７に示すように、コリメートレンズ前後位置調整ユニット２０を接着剤２５…で固定する。
【００６８】
これにより、容易に、光軸にコリメートレンズ４の中央部がくるようにして、コリメートレンズ４を取り付けたコリメートレンズ前後位置調整ユニット２０をハウジング１１に取り付けることができる。
【００６９】
この結果、コリメートレンズ４における光ピックアップ性能を確保することができる。また、コリメートレンズ前後位置調整ユニット２０にコリメートレンズ４を貼り付ける精度のバラツキ、コリメートレンズ前後位置調整ユニット２０の部品の各精度のバラツキ、及び組み付け精度のバラツキが発生しても、光軸位置にコリメートレンズ４の中央部がくるようにすることができる。さらに、これにより、ハウジング１１の金型精度が不要となる。
【００７０】
なお、本発明は、上記の実施の形態に限定されるものではなく、本発明の範囲内で種々の変更が可能である。例えば、上記実施の形態では、ハウジング１１の遊嵌部１３ａ〜１３ｃにおいて、被遊嵌部２４ａ〜２４ｃの深さについては、金型で精度出しをしている。したがって、被遊嵌部２４ａ〜２４ｃの深さについては、コリメートレンズ前後位置調整ユニット２０のハウジング１１における位置は決定していた。
【００７１】
しかし、被遊嵌部２４ａ〜２４ｃの深さについて金型での精度出しができていない場合もある。
【００７２】
このような場合には、例えば、図８（ａ）〜（ｄ）に示すように、コリメートレンズ前後位置調整ユニット２０に、さらに、ユニット穴２１ｂ・２１ｃを設けることによって、光軸にコリメートレンズ４の中央部がくるようにして、コリメートレンズ４を取り付けたコリメートレンズ前後位置調整ユニット２０をハウジング１１に取り付けることが可能となる。
【００７３】
この場合のコリメートレンズ４及びコリメートレンズ前後位置調整ユニット２０の光軸と垂直な方向の調整方法とコリメートレンズ前後位置調整ユニット２０のハウジング１１への取り付け方法について、図９、図１０（ａ）（ｂ）及び図１１に基づいて説明する。
【００７４】
まず、図９に示すように、ハウジング１１の従軸側の側壁面１２における壁貫通穴１２ａを通して外部から図示しない拡大鏡にて見る。この場合、前述したように、作業効率向上のため、図１０（ａ）（ｂ）に示すように、図示しない光学カメラで撮像された画像をモニタ９で見る方法が効果的である。
【００７５】
図１０（ａ）（ｂ）に示すように、モニタ９には、ハウジング１１における従軸側の側壁面１２の壁貫通穴１２ａの外形及びコリメートレンズ４が映っている。尚、同図１０（ａ）（ｂ）において、壁貫通穴１２ａの外形である円形内に映っているのはコリメートレンズ４の一部である。
【００７６】
また、モニタ９には、十字のマーキング線Ｌ１・Ｌ２が壁貫通穴１２ａの中心で交差するように引かれている。マーキング線Ｌ１は光軸に直交する面内におけるＹ軸（縦方向）に平行な線であり、Ｘ軸方向（横方向）の調整のための線である。また、マーキング線Ｌ２は光軸に直交する面内におけるＸ軸（横方向）に平行な線であり、Ｙ軸方向（縦方向）の調整のための線である。したがって、十字のマーキング線Ｌ１とマーキング線Ｌ２との交点が壁貫通穴１２ａの中心かつ光軸の位置を示す。
【００７７】
そして、モニタ９においては、コリメートレンズ４に、視認用目印４ａである中央部の凹部若しくは凸部、又は型作成時に切削面の加工精度によりレンズ面に転写された渦巻き状パターン同心円パターン又は渦巻き状パターンが映っているので、コリメートレンズ４の中央部がマーキング線Ｌ１と上にくるように、コリメートレンズ前後位置調整ユニット２０を、位置調整用のユニット穴２１ａに図示しない例えばピンセット等の治具を引っ掛けて調整をする。これにより、コリメートレンズ前後位置調整ユニット２０はＸ軸方向に動く。
【００７８】
そして、コリメートレンズ４の中央部がマーキング線Ｌ１の上にきた後、次いで、コリメートレンズ４の中央部がマーキング線Ｌ２上にくるように、コリメートレンズ前後位置調整ユニット２０を位置調整用のユニット穴２１ｂ・２１ｃを使用して図示しない例えばピンセット等の治具を使用して手前に引っ張るか又は奥方へ移動させる。この場合、コリメートレンズ前後位置調整ユニット２０はＹ軸方向（縦方向）に動く。尚、本実施の形態では、コリメートレンズ前後位置調整ユニット２０をＸ軸方向（横方向）及びＹ軸方向（縦方向）に移動させるために、コリメートレンズ前後位置調整ユニット２０に３個のユニット穴２１ａ・２１ｂ・２１ｃを設けているが、必ずしも３個には限らず、治具の種類によって、１個、２個、４個以上でも構わない。本実施の形態では、例えば、ユニット穴２１ａは針用の小穴、ユニット穴２１ｂ・２１ｃ用の大穴としているので、合計３個の穴となっている。
【００７９】
この動作により、コリメートレンズ４の中央部が、十字のマーキング線Ｌ１・Ｌ２の交点にくるように調整することができる。
【００８０】
そして、調整終了後、図１１に示すように、コリメートレンズ前後位置調整ユニット２０を接着剤２５…で固定する。
【００８１】
このように、本実施の形態の光ピックアップ装置１０は、半導体レーザ１からレーザ光を出射し、上記レーザ光を用いて光ディスクに情報を記録、又は光ディスクに記録された情報を再生する光ディスク装置に備えられる。この光ピックアップ装置１０では、コリメートレンズ４を含む光学部品が搭載されていると共に、半導体レーザ１のレーザ光におけるコリメートレンズ４を通過する光軸の延長線と交わる位置に立ち上がるハウジング１１の側壁面１２における該光軸の延長線上に、光軸を中心とする壁貫通穴１２ａが設けられている。
【００８２】
また、本実施の形態の光ピックアップ装置１０のレンズ位置調整方法は、ハウジング１１の側壁面１２に設けられた壁貫通穴１２ａの外側からコリメートレンズ４を視認して、コリメートレンズ４の中央部が壁貫通穴１２ａの中心に一致するようにコリメートレンズ４の位置を調整する工程とを含む。
【００８３】
この結果、光ピックアップ装置１０の外部からこの壁貫通穴１２ａを通してコリメートレンズ４を視認することができる。このとき、壁貫通穴１２ａはコリメートレンズ４を通過する光軸の延長線上に光軸を中心として設けられているので、コリメートレンズ４の中央部が壁貫通穴１２ａの中心となるようにコリメートレンズ４を移動して調整すれば、光軸にコリメートレンズ４の中央部がくることになる。
【００８４】
したがって、光軸にコリメートレンズ４の中央部がくるようにすることができる光ピックアップ装置１０、及び光ピックアップ装置１０のレンズ位置調整方法を提供することができる。
【００８５】
また、本実施の形態の光ピックアップ装置１０では、コリメートレンズ４の中央部には、視認用目印４ａが設けられている。
【００８６】
また、本実施の形態の光ピックアップ装置１０のレンズ位置調整方法では、ハウジング１１の側壁面１２に設けられた壁貫通穴１２ａの外側からコリメートレンズ４に設けられた視認用目印４ａを視認して、コリメートレンズ４の中央部の視認用目印４ａが壁貫通穴１２ａの中心に一致するようにコリメートレンズ４の位置を調整する工程とを含む。
【００８７】
これにより、コリメートレンズ４の中央部には、視認用目印４ａが設けられているので、壁貫通穴１２ａを通して、コリメートレンズ４の中央部が壁貫通穴１２ａの中心となるように調整するときに、コリメートレンズ４の中央部の視認用目印４ａが壁貫通穴１２ａの中心に一致するようにコリメートレンズ４の位置を調整する。
【００８８】
したがって、視認用目印４ａにより、容易に、光軸にコリメートレンズ４の中央部がくるようにすることができる。
【００８９】
また、本実施の形態の光ピックアップ装置１０では、視認用目印４ａは、レンズ表面に形成された凹部又は凸部からなっている。
【００９０】
これにより、壁貫通穴１２ａを通してその壁貫通穴１２ａの中心をコリメートレンズ４の中央部となるように調整するときに、コリメートレンズ４のレンズ表面に形成された凹部又は凸部により、コリメートレンズ４の中央部の特定が容易となる。
【００９１】
また、本実施の形態の光ピックアップ装置１０では、コリメートレンズ４は、発光部２１のレーザ光におけるコリメートレンズ４を通過する光軸と平行な方向にコリメートレンズ４を移動させるコリメートレンズ前後位置調整ユニット２０に搭載されている。
【００９２】
これにより、コリメートレンズ前後位置調整ユニット２０にてコリメートレンズ４を光軸に平行移動できるので、レーザ光の光路におけるコリメートレンズ４と対物レンズとの間隔を変化させることができる。したがって、色収差の発生を防止して、例えば、ＤＶＤ規格とＢｌｕ−ｒａｙ規格との規格の異なる種々の光ディスクに対応することができる。
【００９３】
また、本実施の形態の光ピックアップ装置１０のレンズ位置調整方法では、コリメートレンズ４の位置を調整するときに、例えばピンセット等の治具を用いてコリメートレンズ前後位置調整ユニット２０を動かすことによりコリメートレンズ４の位置を調整した後、ハウジング１１における遊嵌部１３ａ〜１３ｃに、コリメートレンズ前後位置調整ユニット２０を接着する工程とを含む。
【００９４】
これにより、コリメートレンズ４を光軸に平行移動させるコリメートレンズ前後位置調整ユニット２０を備えているときに、例えばピンセット等の治具を用いてコリメートレンズ前後位置調整ユニット２０を動かすことによりコリメートレンズ４の位置を調整する。
【００９５】
また、コリメートレンズ４の位置を調整した後、ハウジング１１における遊嵌部１３ａ〜１３ｃに、コリメートレンズ前後位置調整ユニット２０を接着するので、光軸にコリメートレンズ４の中央部がくるようにした状態で、コリメートレンズ前後位置調整ユニット２０をハウジング１１における駆動ユニット取付位置に固定することができる。
【００９６】
また、本実施の形態の光ピックアップ装置１０のレンズ位置調整装置は、光ピックアップ装置１０の外部には、コリメートレンズ４の位置を調整するときにハウジング１１の側壁に設けられた壁貫通穴１２ａを通してコリメートレンズ４を撮像する光学カメラが設けられている。
【００９７】
この結果、コリメートレンズ４の位置を調整するときに、光学カメラでハウジング１１の側壁に設けられた壁貫通穴１２ａを通してコリメートレンズ４を撮像することにより、その像をモニタ９に映し出し、大きくして見ることができるので、コリメートレンズ４の中央部が壁貫通穴１２ａの中心となるように調整するのが容易となる。
【００９８】
したがって、光軸にコリメートレンズ４の中央部がくるようにすることができる光ピックアップ装置１０のレンズ位置調整装置を提供することができる。
【００９９】
〔実施の形態２〕
本発明の他の実施の形態について図１２ないし図２０に基づいて説明すれば、以下の通りである。なお、本実施の形態において説明すること以外の構成は、上記実施の形態１と同じである。また、説明の便宜上、上記の実施の形態１の図面に示した部材と同一の機能を有する部材については、同一の符号を付し、その説明を省略する。
【０１００】
前記実施の形態１では、コリメートレンズ前後位置調整ユニット２０を有する光ディスク装置における光ピックアップ装置１０についてのコリメートレンズ４のレンズ位置調整方法について説明したが、本実施の形態では、コリメートレンズ前後位置調整ユニット２０を有しない光ディスク装置における光ピックアップ装置３０についてのコリメートレンズ４のレンズ位置調整方法について説明する。
【０１０１】
本実施の形態の光ピックアップ装置３０は、図１２に示すように、半導体レーザ３１からレーザ光を出射し、そのレーザ光を用いて図示しない光ディスクに情報を記録、又は光ディスクに記録された情報を再生する光ディスク装置に備えられている。
【０１０２】
上記光ピックアップ装置３０では、上記半導体レーザ３１から出射されたレーザ光は、該光ピックアップ装置３０の光ピックアップ装置本体であるハウジング４１に搭載された光学部品であるビームスプリッタ３２、コリメートレンズ４を通して、プリズム３３に入射する。そして、レーザ光は、このプリズム３３にて上向きに光束を曲げられた後、図示しない対物レンズを通して、図示しない光ディスクに設けられた図示しない複数の記録層又は再生層のいずれかに照射される。
【０１０３】
光ディスクのいずれかの記録層又は再生層からの反射光は、上記図示しない対物レンズを通し、さらに、上記プリズム３３及びコリメートレンズ４を通してビームスプリッタ３２に戻り、ビームスプリッタ３２にて分岐されて受光素子３４に入射されるようになっている。
【０１０４】
本実施の形態の光ディスク装置については、例えば、ＤＶＤ規格の波長６６０ｎｍのレーザ光と、Ｂｌｕ−ｒａｙ規格の波長４０５ｎｍのレーザ光とのいずれかが使用できるものとなっている。
【０１０５】
ところで、上記コリメートレンズ４の光ピックアップ性能を確保するには、光軸にコリメートレンズ４の中央部がくるようにする必要がある。そこで、本実施の形態の光ピックアップ装置３０では、光軸にコリメートレンズ４の中央部がくるようにするために、以下のようにしている。
【０１０６】
すなわち、本実施の形態でも、コリメートレンズ４に前記視認用目印４ａを設けていると共に、図１３（ａ）（ｂ）に示すように、このコリメートレンズ４を通過する、半導体レーザ１のレーザ光の光軸の延長線と交わる位置に立ち上がるハウジング４１の主軸側の側壁としての側壁面４２に、上記光軸を中心とする壁貫通穴４２ａを設けている。そして、図１４に示すように、ハウジング４１の外部からこの壁貫通穴４２ａを通してコリメートレンズ４の視認用目印４ａを臨むことができるようになっており、これによって、光軸にコリメートレンズ４の中央部がくるようにレンズ位置を調整することができるようになっている。
【０１０７】
上記コリメートレンズ４のハウジング４１への取り付け方法についてレンズ位置調整方法を含めて、図１５（ａ）（ｂ）、図１６（ａ）（ｂ）、図１７を用いて詳細に説明する。
【０１０８】
本実施の形態のコリメートレンズ４は、図１５（ａ）（ｂ）に示すように、上記ハウジング４１のコリメートレンズ取付位置としてのコリメートレンズ取り付け部４３における取り付け部凹部４３ａに配設されるようになっている。このコリメートレンズ取り付け部４３における取り付け部凹部４３ａは、Ｘ軸方向（横方向）への位置調整ができるように、Ｘ軸方向（横方向）がコリメートレンズ４のサイズよりも大きいサイズで形成している。また、Ｘ軸方向（横方向）に直交するＹ軸方向（縦方向）の奥底については、光軸がコリメートレンズ４の中央にくるようにサイズが調整されて形成されている。
【０１０９】
したがって、コリメートレンズ４をハウジング４１へ取り付ける場合には、まず、コリメートレンズ４をコリメートレンズ取り付け部４３における取り付け部凹部４３ａに載置する。このとき、コリメートレンズ４を取り付け部凹部４３ａの奥の壁に当接する必要がある。
【０１１０】
次いで、図１４に示すように、ハウジング４１の主軸側の側壁面４２における壁貫通穴４２ａを通して外部から図示しない拡大鏡にて見る。尚、この場合、作業効率向上のため、図１６（ａ）（ｂ）に示すように、図示しない光学カメラで撮像された画像をモニタ９で見る方法が効果的である。
【０１１１】
図１６（ａ）（ｂ）に示すように、モニタ９には、ハウジング４１における主軸側の従軸側の側壁面４２の壁貫通穴４２ａの外形及びコリメートレンズ４が映っている。尚、同図１６（ａ）（ｂ）において、壁貫通穴４２ａの外形である円形内に映っているのはコリメートレンズ４の一部である。
【０１１２】
また、モニタ９には、十字のマーキング線Ｌ１・Ｌ２が壁貫通穴４２ａの中心で交差するように引かれている。マーキング線Ｌ１は光軸に直交する面内におけるＹ軸（縦方向）に平行な線であり、Ｘ軸方向（横方向）の調整のための線である。また、マーキング線Ｌ２は光軸に直交する面内におけるＸ軸（横方向）に平行な線であり、Ｙ軸方向（縦方向）の調整のための線である。したがって、十字のマーキング線Ｌ１とマーキング線Ｌ２との交点が壁貫通穴４２ａの中心かつ光軸の位置を示す。
【０１１３】
そして、モニタ９においては、コリメートレンズ４に、視認用目印４ａである中央部の凹部若しくは凸部、又は型作成時に切削面の加工精度によりレンズ面に転写された渦巻き状パターン同心円パターン又は渦巻き状パターンが映っているので、コリメートレンズ４の中央部がマーキング線Ｌ１上にくるように、図１５（ａ）に示す治具としての棒状治具４４を使用して調整をする。ここでは、棒状治具４４により、コリメートレンズ４をＸ軸方向（横方向）に動かす。
【０１１４】
そして、調整終了後、図１７に示すように、コリメートレンズ４を接着剤４５…で固定する。
【０１１５】
これにより、容易に、光軸にコリメートレンズ４の中央部がくるようにして、コリメートレンズ４を光ピックアップ装置３０のハウジング４１に取り付けることができる。
【０１１６】
この結果、コリメートレンズ４における光ピックアップ性能を確保することができる。
【０１１７】
なお、本発明は、上記の実施の形態に限定されるものではなく、本発明の範囲内で種々の変更が可能である。例えば、上記実施の形態では、ハウジング４１のコリメートレンズ取り付け部４３における取り付け部凹部４３ａは、図１５（ａ）に示すように、Ｘ軸方向（横方向）に直交するＹ軸方向（縦方向）の奥底は、光軸がコリメートレンズ４の中央にくるようにサイズが調整されて形成されていた。
【０１１８】
しかし、必ずしもこれに限らず、例えば、図１８（ａ）（ｂ）に示すように、ハウジング４１のコリメートレンズ取り付け部５３における取り付け部凹部５３ａを、Ｘ軸方向（横方向）に直交するＹ軸方向（縦方向）である奥行きについても調整できるように、コリメートレンズ取り付け部５３を貫通するように形成することができる。
【０１１９】
この場合のコリメートレンズ４のレンズ位置調整方法、及びコリメートレンズ４のハウジング１１への取り付け方法について図１８（ａ）（ｂ）、図１９（ａ）（ｂ）及び図２０に基づいて説明する。
【０１２０】
コリメートレンズ４をハウジング４１へ取り付ける場合には、図１８（ａ）（ｂ）に示すように、まず、コリメートレンズ４をコリメートレンズ取り付け部５３における取り付け部凹部５３ａに挿入する。このとき、光ピックアップ装置３０の裏面側から治具４６・４６を挿入しておき、治具４６・４６の先端にてコリメートレンズ４を支持する。
【０１２１】
次いで、図１４に示すように、ハウジング４１の主軸側の側壁面４２における壁貫通穴４２ａを通して外部から図示しない拡大鏡にて見る。尚、この場合、作業効率向上のため、図１９（ａ）（ｂ）に示すように、図示しない光学カメラで撮像された画像をモニタ９で見る方法が効果的である。
【０１２２】
また、モニタ９には、十字のマーキング線Ｌ１・Ｌ２が壁貫通穴１２ａの中心で交差するように引かれている。マーキング線Ｌ１は光軸に直交する面内におけるＹ軸（縦方向）に平行な線であり、Ｘ軸方向（横方向）の調整のための線である。また、マーキング線Ｌ２は光軸に直交する面内におけるＸ軸（横方向）に平行な線であり、Ｙ軸方向（縦方向）の調整のための線である。したがって、十字のマーキング線Ｌ１とマーキング線Ｌ２との交点が壁貫通穴４２ａの中心かつ光軸の位置を示す。
【０１２３】
そして、モニタ９においては、コリメートレンズ４に、視認用目印４ａである中央部の凹部若しくは凸部、又は型作成時に切削面の加工精度によりレンズ面に転写された渦巻き状パターン同心円パターン又は渦巻き状パターンが映っているので、コリメートレンズ４の中央部が十字のマーキング線Ｌ１とマーキング線Ｌ２との交点にくるように、図１８（ａ）に示す棒状治具４４及びこの棒状治具４４に対向する治具としての棒状治具４６・４６を使用して調整をする。尚、棒状治具４６・４６は２つ設ける方が、コリメートレンズ４の支持及び調整作業が容易である。
【０１２４】
そして、調整終了後、図２０に示すように、コリメートレンズ４を接着剤４５…で固定する。この場合、横方向だけの接着剤４５に限らず、縦方向にも接着剤４５を用いる方が、コリメートレンズ４が動かないという点で好ましい。
【０１２５】
このように、本実施の形態の光ピックアップ装置３０は、半導体レーザ３１からレーザ光を出射し、上記レーザ光を用いて光ディスクに情報を記録、又は光ディスクに記録された情報を再生する光ディスク装置に備えられる。この光ピックアップ装置３０では、コリメートレンズ４を含む光学部品が搭載されていると共に、半導体レーザ３１のレーザ光におけるコリメートレンズ４を通過する光軸の延長線と交わる位置に立ち上がるハウジング４１の側壁面４２における該光軸の延長線上に、光軸を中心とする壁貫通穴４２ａが設けられている。
【０１２６】
また、本実施の形態の光ピックアップ装置３０のレンズ位置調整方法は、ハウジング４１の側壁面４２に設けられた壁貫通穴４２ａの外側からコリメートレンズ４を視認して、コリメートレンズ４の中央部が壁貫通穴４２ａの中心に一致するようにコリメートレンズ４の位置を調整する工程とを含む。
【０１２７】
したがって、光ピックアップ装置３０の外部からこの壁貫通穴４２ａを通してコリメートレンズ４を視認することができる。このとき、壁貫通穴４２ａはコリメートレンズ４を通過する光軸の延長線上に光軸を中心として設けられているので、コリメートレンズ４の中央部が壁貫通穴４２ａの中心となるようにコリメートレンズ４を移動して調整すれば、光軸にコリメートレンズ４の中央部がくることになる。
【０１２８】
したがって、光軸にコリメートレンズ４の中央部がくるようにすることができる光ピックアップ装置３０、及び光ピックアップ装置３０のレンズ位置調整方法を提供することができる。
【０１２９】
また、本実施の形態の光ピックアップ装置３０では、コリメートレンズ４の中央部には、視認用目印４ａが設けられている。
【０１３０】
また、本実施の形態の光ピックアップ装置３０のレンズ位置調整方法では、ハウジング４１の側壁面４２に設けられた壁貫通穴４２ａの外側からコリメートレンズ４に設けられた視認用目印４ａを視認して、コリメートレンズ４の中央部の視認用目印４ａが壁貫通穴４２ａの中心に一致するようにコリメートレンズ４の位置を調整する工程とを含む。
【０１３１】
これにより、コリメートレンズ４の中央部には、視認用目印４ａが設けられているので、壁貫通穴４２ａを通して、コリメートレンズ４の中央部が壁貫通穴４２ａの中心となるように調整するときに、コリメートレンズ４の中央部の視認用目印４ａが壁貫通穴４２ａの中心に一致するようにコリメートレンズ４の位置を調整する。
【０１３２】
したがって、視認用目印４ａにより、容易に、光軸にコリメートレンズ４の中央部がくるようにすることができる。
【０１３３】
また、本実施の形態の光ピックアップ装置３０では、視認用目印４ａは、レンズ表面に形成された凹部又は凸部からなっている。
【０１３４】
これにより、壁貫通穴４２ａを通してその壁貫通穴４２ａの中心をコリメートレンズ４の中央部となるように調整するときに、コリメートレンズ４のレンズ表面に形成された凹部又は凸部により、コリメートレンズ４の中央部の特定が容易となる。
【０１３５】
また、本実施の形態の光ピックアップ装置３０では、コリメートレンズ４の位置を調整する工程において、棒状治具４４・４６を用いると共に、この棒状治具４４・４６を用いてコリメートレンズ４の位置を調整した後、ハウジング１１におけるコリメートレンズ取付位置にコリメートレンズ４を接着する工程を含む。
【０１３６】
これにより、コリメートレンズ４の位置を調整する工程において例えばピンセット等の治具を用いるので、コリメートレンズ４の位置の調整が容易となる。また、治具を用いてコリメートレンズ４の位置を調整した後、ハウジング１１におけるコリメートレンズ取り付け部５３にコリメートレンズ４を接着するので、光軸にコリメートレンズ４の中央部がくるようにした状態で、コリメートレンズ４をハウジング１１におけるコリメートレンズ取り付け部５３に固定することができる。
【０１３７】
また、本実施の形態の光ピックアップ装置３０では、棒状治具４４・４６を複数使用する。これにより、コリメートレンズ４の位置を調整するときに、光軸に垂直な面内において、コリメートレンズ４を、横方向だけでなく縦方向にも調整することが可能となる。
【０１３８】
また、本実施の形態の光ピックアップ装置３０のレンズ位置調整装置は、光ピックアップ装置３０の外部には、コリメートレンズ４の位置を調整するときにハウジング４１の側壁面４２に設けられた壁貫通穴４２ａを通してコリメートレンズ４を撮像する光学カメラが設けられている。
【０１３９】
この結果、コリメートレンズ４の位置を調整するときに、光学カメラでハウジング４１の側壁に設けられた壁貫通穴４２ａを通してコリメートレンズ４を撮像することにより、その像をモニタ９に映し出し、大きくして見ることができる。この結果、コリメートレンズ４の中央部が壁貫通穴４２ａの中心となるように調整するのが容易となる。
【０１４０】
したがって、光軸にコリメートレンズ４の中央部がくるようにすることができる光ピックアップ装置３０のレンズ位置調整装置を提供することができる。
【０１４１】
なお、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１４２】
本発明は、光ディスクを記録、又は再生する光ディスク装置に備えられた光ピックアップ装置、光ピックアップ装置のレンズ位置調整方法、及び光ピックアップ装置のレンズ位置調整装置に関するものである。したがって、例えば、ＤＶＤ規格の波長６６０ｎｍのレーザ光と、Ｂｌｕ−ｒａｙ規格の波長４０５ｎｍのレーザ光とのいずれかが使用できる光ディスク装置に適用できると共に、ＤＶＤ規格の波長６６０ｎｍのレーザ光と、Ｂｌｕ−ｒａｙ規格の波長４０５ｎｍのレーザ光との両方が使用できる光ディスク装置にできる。
【０１４３】
また、ＣＤ等の光ディスク装置にも適用できる。
【図面の簡単な説明】
【０１４４】
【図１】（ａ）は本発明における光ピックアップ装置の実施の一形態を示す平面図であり、（ｂ）は上記光ピックアップ装置のハウジングにおける従軸側の側壁面を示す側面図であり、（ｃ）は上記光ピックアップ装置に取り付けられるコリメートレンズ前後位置調整ユニットの構成を示す底面図であり、（ｄ）は上記コリメートレンズ前後位置調整ユニットの構成を示す斜視図である。
【図２】コリメートレンズ前後位置調整ユニットを有する光ピックアップ装置の構成を示す平面図である。
【図３】（ａ）は上記光ピックアップ装置のコリメートレンズの構成を示す斜視図であり、（ｂ）は上記コリメートレンズの構成を示す平面図である。
【図４】（ａ）は上記光ピックアップ装置における他のコリメートレンズの構成を示す斜視図であり、（ｂ）は上記他のコリメートレンズの構成を示す平面図である。
【図５】上記コリメートレンズを取り付けたコリメートレンズ前後位置調整ユニットをハウジングに載置した光ピックアップ装置を示す平面図である。
【図６】（ａ）は図３（ａ）（ｂ）に示すコリメートレンズを映し出したモニタを示す斜視図であり、（ｂ）は図４（ａ）（ｂ）に示すコリメートレンズを映し出したモニタを示す斜視図である。
【図７】上記コリメートレンズを取り付けたコリメートレンズ前後位置調整ユニットをハウジングに接着剤にて接着した光ピックアップ装置を示す平面図である。
【図８】（ａ）は本発明における光ピックアップ装置の変形例を示す平面図であり、（ｂ）は上記光ピックアップ装置のハウジングにおける従軸側の側壁面を示す側面図であり、（ｃ）は上記光ピックアップ装置に取り付けられるコリメートレンズ前後位置調整ユニットの構成を示す底面図であり、（ｄ）は上記コリメートレンズ前後位置調整ユニットの構成を示す斜視図である。
【図９】上記コリメートレンズを取り付けたコリメートレンズ前後位置調整ユニットをハウジングに載置した光ピックアップ装置を示す平面図である。
【図１０】（ａ）は図３（ａ）（ｂ）に示すコリメートレンズを映し出したモニタを示す斜視図であり、（ｂ）は図４（ａ）（ｂ）に示すコリメートレンズを映し出したモニタを示す斜視図である。
【図１１】上記コリメートレンズを取り付けたコリメートレンズ前後位置調整ユニットをハウジングに接着剤にて接着した光ピックアップ装置を示す平面図である。
【図１２】コリメートレンズ前後位置調整ユニットを有しない光ピックアップ装置の構成を示す平面図である。
【図１３】（ａ）は本発明における光ピックアップ装置の他の実施の形態を示すものであって、上記光ピックアップ装置のハウジングにおける主軸側の側壁面を示す側面図であり、（ｂ）は上記光ピックアップ装置の構成を示す平面図である。
【図１４】上記コリメートレンズをハウジングのコリメートレンズ取り付け部に載置した光ピックアップ装置を示す平面図である。
【図１５】（ａ）は上記コリメートレンズのコリメートレンズ取り付け部を示す側面図であり、（ｂ）は上記コリメートレンズのコリメートレンズ取り付け部を示す平面図である。
【図１６】（ａ）は図３（ａ）（ｂ）に示すコリメートレンズを映し出したモニタを示す斜視図であり、（ｂ）は図４（ａ）（ｂ）に示すコリメートレンズを映し出したモニタを示す斜視図である。
【図１７】上記コリメートレンズをハウジングに接着剤にて接着した光ピックアップ装置を示す平面図である。
【図１８】（ａ）は本発明における光ピックアップ装置の変形例を示すものであって、上記コリメートレンズのコリメートレンズ取り付け部を示す側面図であり、（ｂ）は上記コリメートレンズのコリメートレンズ取り付け部を示す平面図である。
【図１９】（ａ）は図３（ａ）（ｂ）に示すコリメートレンズを映し出したモニタを示す斜視図であり、（ｂ）は図４（ａ）（ｂ）に示すコリメートレンズを映し出したモニタを示す斜視図である。
【図２０】上記コリメートレンズをハウジングに接着剤にて接着した光ピックアップ装置を示す平面図である。
【図２１】（ａ）は従来の光ピックアップ装置のコリメートレンズの構成を示す斜視図であり、（ｂ）は上記コリメートレンズの構成を示す平面図である。
【図２２】従来のコリメートレンズ前後位置調整ユニットを有する光ピックアップ装置の構成を示す平面図である。
【図２３】（ａ）は上記従来の光ピックアップ装置のハウジングの構成を示す組み立て分解平面図であり、（ｂ）は上記光ピックアップ装置に取り付けられるコリメートレンズ前後位置調整ユニットの構成を示す組み立て分解底面図であり、（ｃ）は上記コリメートレンズ前後位置調整ユニットの構成を示す斜視図である。
【図２４】上記コリメートレンズを取り付けたコリメートレンズ前後位置調整ユニットをハウジングに接着した光ピックアップ装置を示す平面図である。
【図２５】従来のコリメートレンズ前後位置調整ユニットを有しない光ピックアップ装置の構成を示す平面図である。
【図２６】（ａ）は上記コリメートレンズのコリメートレンズ取り付け部を示す側面図であり、（ｂ）は上記コリメートレンズのコリメートレンズ取り付け部を示す平面図である。
【符号の説明】
【０１４５】
１            半導体レーザ
２            ビームスプリッタ（光学部品）
３            プリズム（光学部品）
４            コリメートレンズ（光学部品）
４ａ          視認用目印
５            プリズム（光学部品）
６            プリズム（光学部品）
７            受光素子
９            モニタ
１０            光ピックアップ装置
１１            ハウジング
１２            側壁面（側壁）
１２ａ          壁貫通穴
１３ａ〜１３ｃ  遊嵌部（駆動ユニット取付位置）
２０            コリメートレンズ前後位置調整ユニット（駆動ユニット）
２１ａ          ユニット穴
２２            レンズホルダ
２３            接着剤
２４ａ〜２４ｃ  被遊嵌部
２５            接着剤
３０            光ピックアップ装置
３１            半導体レーザ
３２            ビームスプリッタ（光学部品）
３３            プリズム（光学部品）
３４            受光素子
４１            ハウジング
４２            側壁面（側壁）
４２ａ          壁貫通穴
４３            コリメートレンズ取り付け部（コリメートレンズ取付位置）
４３ａ          取り付け部凹部
４４            棒状治具（治具）
４５            接着剤
４６            棒状治具（治具）
５３            コリメートレンズ取り付け部
５３ａ          取り付け部凹部
Ｌ１・Ｌ２      マーキング線
ＬＶ            基準線
【図１】
2009134805.tif 000003
【図２】
2009134805.tif 000004
【図３】
2009134805.tif 000005
【図４】
2009134805.tif 000006
【図５】
2009134805.tif 000007
【図６】
2009134805.tif 000008
【図７】
2009134805.tif 000009
【図８】
2009134805.tif 000010
【図９】
2009134805.tif 000011
【図１０】
2009134805.tif 000012
【図１１】
2009134805.tif 000013
【図１２】
2009134805.tif 000014
【図１３】
2009134805.tif 000015
【図１４】
2009134805.tif 000016
【図１５】
2009134805.tif 000017
【図１６】
2009134805.tif 000018
【図１７】
2009134805.tif 000019
【図１８】
2009134805.tif 000020
【図１９】
2009134805.tif 000021
【図２０】
2009134805.tif 000022
【図２１】
2009134805.tif 000023
【図２２】
2009134805.tif 000024
【図２３】
2009134805.tif 000025
【図２４】
2009134805.tif 000026
【図２５】
2009134805.tif 000027
【図２６】
2009134805.tif 000028